(57)【要約】  無線ネットワークのホットスポット（ＨＳ１、…）を介してローカル・サービスを発見しアクセスするためのローカル・サービス・マネージャ（ＬＳＭ）は、少なくとも１つのサービスを提供する新しいホットスポット（ＨＳ１）について、サービス・プロバイダ（ＳＰ）によって作成されたアカウントを登録するための手段（１）と、登録済みのホットスポットに対応するサービス・プロファイルを登録するための手段（１）であって、そのサービス・プロファイルはそのホットスポットが提供するすべてのサービスを記述する、手段と、ユーザ・アプリケーション（ＵＡ）をサービス・コンシューマ（ＳＣ）の端末（Ｔ）にダウンロードするための手段（３）と、サービス・コンシューマ（ＳＣ）の端末（Ｔ）で実行するユーザ・アプリケーション（ＵＡ）から要求メッセージを受信するための手段（６）であって、このメッセージはホットスポットの識別子を含み、この識別子に対応するサービス・プロファイルを取り出すよう要求する、手段と、要求されたサービス・プロファイルを検索するための手段（６）と、この識別子に対応するサービス・プロファイルを含むメッセージを送信することによって、サービス・コンシューマ（ＳＣ）の端末（Ｔ）に応答するための手段（６）とを備える。
2014534663.tif 000002
【特許請求の範囲】
【請求項１】
第１の無線ネットワークのホットスポット（ＨＳ１、…）を介してサービスを発見しアクセスするためのサービス・マネージャ（ＬＳＭ）であって、
登録済みのホットスポットに対応するサービス・プロファイルを登録するための手段（１）であって、前記サービス・プロファイルは前記ホットスポットが提供するすべての前記サービスを記述する、手段と、
サービス・コンシューマ（ＳＣ）の端末（Ｔ）から要求メッセージを受信するための手段（６）であって、このメッセージは、登録済みのホットスポットに対応するプロファイル識別子を含み、この登録済みのホットスポットに対応する前記サービス・プロファイルを取り出すように要求する、手段と、
前記要求されたサービス・プロファイルを取り出すための手段（６）と、
前記取り出したサービス・プロファイルを含むメッセージを送信することによって、サービス・コンシューマ（ＳＣ）の端末（Ｔ）に応答するための手段（６）とを備える、マネージャ（ＬＳＭ）において、
登録済みのホットスポットに対応するサービス・プロファイルを登録するための前記手段（１）は、それぞれ複数の登録済みのホットスポット（ＨＳ１、…）に対応する複数のプロファイル識別子にそれぞれ関連付けられている複数のサービス・プロファイルを登録するための手段を備え、
サービス・コンシューマ（ＳＣ）の端末（Ｔ）から要求メッセージを受信するための前記手段（６）は、別のネットワークを介して、複数のプロファイル識別子を含む要求メッセージを受信し、前記要求メッセージに含まれる前記複数のプロファイル識別子に対応する前記登録されたサービス・プロファイルを取り出すための手段を備える
ことを特徴とする、マネージャ（ＬＳＭ）。
【請求項２】
少なくとも１つのサービスについてサービス・コンシューマ（ＳＣ）によって作成されたサブスクリプション・アカウントを登録するための手段（３）と、
支払われなくてはならない各サービスに対して料金の支払いを受信するための手段と
をさらに備える、請求項１に記載のマネージャ（ＬＳＭ）。
【請求項３】
少なくとも１つのサービスを提供する新しいホットスポット（ＨＳ１）について、サービス・プロバイダ（ＳＰ）によって作成されたアカウントを登録するための手段（１）と、
コンピューティング・システムを、サービスをホスティングすることができるゲートウェイ（ＧＷ１）に変換するために、サービス・プロバイダ（ＳＰ）によって使用されうるソフトウェアをダウンロードするための手段（１）と
をさらに備える、請求項１に記載のマネージャ（ＬＳＭ）。
【請求項４】
登録済みのホットスポットに関連付けられている識別子を作成し登録するための手段（１）をさらに備え、前記識別子は、このホットスポットがローカル・サービスを提供することを意味する固定のパターンを備え、このホットスポットに対応する前記サービス・プロファイルの前記プロファイル識別子を備える、請求項１に記載のマネージャ（ＬＳＭ）。
【請求項５】
無線ネットワークのＷｉＦｉホットスポット（ＨＳ１、…）を介してローカル・サービスを発見しアクセスするための端末（Ｔ）であって、
ホットスポットを検出するための手段（ＵＡ）（５）と、
要求メッセージをローカル・サービス・マネージャ（ＬＳＭ）に送信するための手段（６）であって、このメッセージは、検出されたホットスポットに対応し、前記ホットスポットが提供するすべての前記サービスを記述するサービス・プロファイルを取り出すよう要求する、手段と、
前記サービス・マネージャ（ＬＳＭ）からサービス・プロファイルを受信するための手段（ＵＡ）と、
前記受信したサービス・プロファイルにリストされているサービスからユーザがサービスを選択できるようにするための手段（ＵＡ）と、
前記選択されたサービスを提供するホットスポットに接続し、前記選択されたサービスを、このホットスポットを介して要求するための手段（ＵＡ）と
を備える端末（Ｔ）において、
前記第１の無線ネットワークのホットスポット（ＨＳ１、…）を検出するための前記手段（５）は、前記第１の無線ネットワークの複数のホットスポットを検出するための手段（５）を備え、
ローカル・サービス・マネージャ（ＬＳＭ）に要求メッセージを送信するための前記手段（６）は、別の無線ネットワークを介して前記要求メッセージを送信するための手段を備え、
前記要求メッセージは、前記複数の検出されたホットスポットに対応する複数のサービス・プロファイルを取り出すよう要求する
ことを特徴とする、端末（Ｔ）。
【請求項６】
サービスをサブスクライブするための手段（８）と、 
支払われなくてはならない各サービスに対して料金を支払うための手段（８）と
をさらに備える、請求項１に記載の端末（Ｔ）。
【請求項７】
ローカル・サービスを提供するホットスポットを検出するための前記手段（ＵＡ）（５）は、このホットスポットがローカル・サービスを提供することを指示する固有のパターンを備えるホットスポット識別子を検出し、このホットスポット識別子からサービス・プロファイル識別子を抽出するための手段を備える、請求項１に記載の端末（Ｔ）。
【請求項８】
プログラムがコンピュータで実行されるとき、第１の無線ネットワークのホットスポット（ＨＳ１、…）を介してサービスを発見しアクセスするための方法を、サービス・マネージャ（ＬＳＭ）において実行するためのコンピュータ実行可能命令を備えるコンピュータプログラム製品であって、前記方法は、
登録済みのホットスポットに対応するサービス・プロファイルを登録するステップ（１）であって、このサービス・プロファイルはこの登録済みのホットスポットが提供するすべての前記サービスを記述する、ステップと、 
端末（Ｔ）から要求メッセージを受信するステップ（６）であって、このメッセージはプロファイル識別子を含み、このプロファイル識別子に対応する前記サービス・プロファイルを取り出すよう要求する、ステップと、
このプロファイル識別子に対応する前記サービス・プロファイルを取り出すステップ（６）と、
前記取り出したサービス・プロファイルを含むメッセージを送信することによって、前記端末（Ｔ）に応答するステップ（６）と
を含む、コンピュータプログラム製品において、
登録済みのホットスポットに対応するサービス・プロファイルを登録するステップ（１）は、それぞれ複数の登録済みのホットスポット（ＨＳ１、…）に対応する複数のプロファイル識別子にそれぞれ関連付けられている複数のサービス・プロファイルを登録するステップを含み、
サービス・コンシューマ（ＳＣ）の前記端末（Ｔ）から要求メッセージを受信するステップ（６）は、別の無線ネットワークを介して、前記端末（Ｔ）から要求メッセージを受信するステップ（６）を含み、このメッセージは複数のプロファイル識別子を含み、この複数のプロファイル識別子に対応する前記サービス・プロファイルを取り出すよう要求し、
このメッセージからプロファイル識別子を取り出すステップは、前記受信したメッセージに含まれる前記複数のプロファイル識別子に対応する前記登録されたサービス・プロファイルを取り出すステップを含む
ことを特徴とする、コンピュータプログラム製品。
【請求項９】
前記方法は、
サービスをサブスクライブするステップ（８）と、
支払われなくてはならない各サービスに対して料金を支払うステップ（８）と
をさらに含む、請求項８に記載のコンピュータプログラム製品。
【請求項１０】
前記方法は、
少なくとも１つのサービスを提供する新しいホットスポット（ＨＳ１）について、サービス・プロバイダ（ＳＰ）によって作成されたアカウントを登録するステップ（１）と、
コンピューティング・システムを、サービスをホスティングできるゲートウェイ（ＧＷ１）に変換するために、サービス・プロバイダ（ＳＰ）によって使用されうるソフトウェアをダウンロードするステップ（１）と
をさらに含む、請求項８に記載のコンピュータプログラム製品。
【請求項１１】
登録済みのホットスポットに関連付けられている識別子を作成し登録するステップ（１）をさらに含み、前記識別子は、このホットスポットがサービスを提供することを意味する固定のパターンを備え、このホットスポットに対応する前記サービス・プロファイルの前記識別子を備える、請求項８に記載のコンピュータプログラム製品。
【請求項１２】
プログラムがコンピュータで実行されるとき、第１の無線ネットワークのホットスポット（ＨＳ１、…）を介してサービスを発見しアクセスするための方法を、端末（Ｔ）において実行するためのコンピュータ実行可能命令を備えるコンピュータプログラム製品であって、前記方法は、
前記第１の無線ネットワークのホットスポット（ＨＳ１、…）を検出するステップ（５）と、
要求メッセージをサービス・マネージャ（ＬＳＭ）に送信するステップ（６）であって、このメッセージは、前記検出されたホットスポットに対応し、前記検出されたホットスポットが提供するすべての前記サービスを記述するサービス・プロファイルを取り出すよう要求する、ステップと、
前記サービス・マネージャ（ＬＳＭ）からサービス・プロファイルを受信するステップと、
前記受信したサービス・プロファイルにリストされているサービスからユーザがサービスを選択できるようにするステップと、
前記選択されたサービスを提供する前記ホットスポットに接続し、前記選択されたサービスを、このホットスポットを介して要求するステップと
を含む、コンピュータプログラム製品において、
前記第１の無線ネットワークのホットスポット（ＨＳ１、…）を検出する前記ステップ（５）は、前記第１の無線ネットワークの複数のホットスポットを検出するステップ（５）を含み、
ローカル・サービス・マネージャ（ＬＳＭ）に要求メッセージを送信する前記ステップ（６）は、別の無線ネットワークを介して前記要求メッセージを送信するステップを含み、
前記要求メッセージは、前記複数の検出されたホットスポットに対応する複数のサービス・プロファイルを取り出すよう要求する
ことを特徴とする、コンピュータプログラム製品。
【請求項１３】
前記方法は、サービスをサブスクライブするステップ（８）と、課金される各サービスの料金を支払うステップ（８）とをさらに含む、請求項１２に記載のコンピュータプログラム製品。
【請求項１４】
サービスを提供するホットスポットを検出するステップ（５）は、このホットスポットがサービスを提供することを指示する固有のパターンを備えるホットスポット識別子を検出し、次いで、このホットスポット識別子からサービス・プロファイル識別子を抽出するステップを含む、請求項１２に記載のコンピュータプログラム製品。
【発明の詳細な説明】
【技術分野】
【０００１】
本発明は、一般に、いわゆるＷｉＦｉホットスポットなど、無線ローカルエリアネットワークの基地局を介して配信されるローカル・サービスを発見しアクセスするための端末およびマネージャに関する。後段において、特定のスポットまたは領域においてアクセス可能なサービスを「ローカル・サービス」と称する。ユーザ端末は、パーソナル・コンピュータ、スマートフォンなどであってもよい。
【０００２】
公共の環境においてサービスを見つけることは、プライベートローカルネットワーク（たとえば、ホームネットワーク）においてサービスを見つけることとは大きく異なる。ディスカバリ・プロトコルでは、サービスを見つけるために、ユーザ端末がネットワークに接続されることが必要である。都会にあっては誰も、使用可能なローカル・サービスを見つけ出すため、あらゆるＷｉＦｉホットスポットに接続を試みるようなことはできない。ローカル・サービスの完全な可能性を発揮するためには、その場でそれらのサービスを発見し、ユーザ端末からサービスと対話するためのユーザ・インターフェイスにアクセスすることが可能でなければならない。しかし、ローカル・サービスが、どのようにサービス・プロバイダによってアドバタイズされ、どのようにサービス・コンシューマの端末によって発見される必要があるかを決定付ける解決策は、いまだ合意に至っていない。
【背景技術】
【０００３】
端末の無線ネットワーク接続を管理するソフトウェアは通常、端末に近隣のすべてのＷｉＦｉホットスポットを提示する。ソフトウェアは、どのホットスポットに以前ユーザが接続したかを記憶しており、信頼できるホットスポットへの接続を自動的に確立することができる。ネットワーク接続がいったんセットアップされると、ＵＰｎＰ（Ｕｎｉｖｅｒｓａｌ  Ｐｌｕｇ  ａｎｄ  Ｐｌａｙ）またはＢｏｎｊｏｕｒ（Ａｐｐｌｅ社製）などのディスカバリ・プロトコルが、ネットワーク上のサービスを探し出すために使用される。
【０００４】
たとえば、ＵＰｎＰアーキテクチャは、ゼロ構成および自動ディスカバリをサポートし、これによりデバイスは、以下の事項を行なうことができる：
・動的にネットワークに参加する
・ＩＰアドレスを取得する
・デバイスの名前をアナウンスする
・要求に応じてデバイスの能力を伝達する
・その他のデバイスの存在および能力について学習する
【０００５】
ＵＰｎＰまたはＢｏｎｊｏｕｒを使用することで、たとえば、ネットワーク上の使用可能な印刷サービスを発見することができる。しかし、これらのディスカバリ・プロトコルは、ユーザが、特定のサービスを見つけてアクセスするために接続する必要のあるネットワークを認識していることを仮定する（つまり、ユーザは、望むサービスを提供する近隣のホットスポットを知っている必要がある）。この情報は、必ずしも前もって知らされているわけではない。特に、混雑した都市環境においては、使用可能なＷｉＦｉホットスポットのリストは膨大なものになる可能性があり、ユーザはどのホットスポットがどのサービスへのアクセスを提供するのかを認識していない。これはまた、ユーザが、発見されたホットスポットに関して自分の現在の位置を正確に認識していないことにも関連している。
【０００６】
欧州特許出願公開第１，３７０，０５０Ａ１号は、無線ネットワークのホットスポットを介して使用可能なサービスのコンテンツをアドバタイズするための方法を説明し、前記方法は、
ａ）  ホットスポットを介して使用可能なサービスを記述するリストを、このホットスポットを介してアクセス可能なデータベースにおいて保持するステップと、
ｂ）  このホットスポットに端末を接続し、リストを取得するためにこの端末によって前記データベースにクエリを行なうステップと、
ｃ）  接続セットアップ中に、リストを端末に伝送するステップと、
ｄ）  端末のユーザにリストを公開するステップと
を含む。
【０００７】
したがって、この既知の方法は、ホットスポットを介して使用可能なサービスを発見するために、端末をこのホットスポットに接続することを意味する。（たとえば、市内に）多数の使用可能なホットスポットがある場合、端末は、すべての提案されるサービスを発見するためにこれらの使用可能なすべてのホットスポットに連続的に接続しなくてはならない。
【先行技術文献】
【特許文献】
【０００８】
【特許文献１】欧州特許出願公開第１，３７０，０５０Ａ１号
【非特許文献】
【０００９】
【非特許文献１】Ｃｏｍｐｕｔｅｒ  Ｎｅｔｗｏｒｋｓ、Ａｎｄｒｅｗ  Ｓ．Ｔａｎｅｎｂａｕｍ
【非特許文献２】Ｄｉｓｔｒｉｂｕｔｅｄ  Ｓｙｓｔｅｍｓ：Ｃｏｎｃｅｐｔｓ  ａｎｄ  Ｄｅｓｉｇｎ、Ｇｅｏｒｇｅ  Ｃｏｕｌｏｕｒｉｓ、Ｊｅａｎ  Ｄｏｌｌｉｍｏｒｅ、Ｔｉｍ  Ｋｉｎｄｂｅｒｇ
【発明の概要】
【発明が解決しようとする課題】
【００１０】
したがって、たとえユーザの現在位置を認識している必要がなくても、ユーザ端末が、どのホットスポットがどのサービスを配信するのかを迅速に見つけることができるように、より優れた技術的な解決策を提供する必要がある。
【課題を解決するための手段】
【００１１】
これは、本発明によるマネージャおよび端末を適用することによって解決されうる。
【００１２】
本発明の第１の対象は、無線ネットワークのホットスポットを介してローカル・サービスを発見しアクセスするためのマネージャであり、マネージャは、
ホットスポットが提供するすべてのサービスを記述する、登録済みのホットスポットに対応するサービス・プロファイルを登録するための手段と、
サービス・コンシューマの端末から要求メッセージを受信するための手段であって、このメッセージは登録済みのホットスポットに対応するサービス・プロファイルを取り出すように要求する、手段と、
要求されたサービス・プロファイルを検索するための手段と、
取り出したサービス・プロファイルを含むメッセージを送信することによって、サービス・コンシューマの端末に応答するための手段とを備え、
登録済みのホットスポットに対応するサービス・プロファイルを登録するための前記手段は、それぞれ複数の登録済みのホットスポットに対応する複数のプロファイル識別子にそれぞれ関連付けられている複数のサービス・プロファイルを登録するための手段を備え、
サービス・コンシューマの端末から要求メッセージを受信するための前記手段は、このメッセージからプロファイル識別子を抽出して、抽出されたプロファイル識別子に対応する登録されたサービス・プロファイルを取り出すための手段を備える
ことを特徴とする。
【００１３】
このマネージャは、サービス・プロバイダが、複数のホットスポットによって提供されるコンテンツおよびサービスのタイプに関する情報を集中化できるようにする。サービス・プロバイダにとっては、この情報を複数のホットスポットについて一度で格納するほうが、より容易かつ迅速である。サービス・コンシューマにとっては、特に端末がローカル・サービスを提供する多数のホットスポットに接続することができる市内において、自分の端末を複数のホットスポットに連続的に接続するよりも、このマネージャに助言を求めるほうが迅速である。
【００１４】
本発明の第２の対象は、無線ネットワークのＷｉＦｉホットスポットを介して、ローカル・サービスを発見しアクセスするための端末であり、端末は、
ホットスポットを検出するため、および検出されたホットスポットに対応し、そのホットスポットが提供するすべてのサービスを記述するサービス・プロファイルを取り出すために、ローカル・サービス・マネージャに要求メッセージを送信するための手段と、
サービス・プロファイルを受信し、ユーザが受信したサービス・プロファイルにリストされているサービスからサービスを選択できるようにするための手段と、
選択されたサービスを提供するホットスポットに接続し、選択されたサービスを、このホットスポットを介して要求するための手段と
を備え、
ホットスポットを検出するため、およびローカル・サービス・マネージャに要求メッセージを送信するための前記手段は、前記要求メッセージを、別の無線ネットワークを介してローカル・サービス・マネージャに送信するための手段を備えることを特徴とする。
【００１５】
この端末は、別のネットワークを介して集中サービス・マネージャにアクセスすることができるので、これによりサービス・コンシューマは、使用可能なホットスポットのいずれにも接続する必要なく、多数の使用可能なホットスポットによって提供されるコンテンツおよびサービスのタイプに関する情報にアクセスすることができるようになる。
【００１６】
サービス・コンシューマ端末にとっては、特に端末がローカル・サービスを提供する多数のホットスポットを見つけることができる市内において、複数のホットスポットに連続的に接続するよりも、単一のサービス・マネージャに助言を求めるほうが迅速である。
【００１７】
本発明のその他の特徴および利点は、添付の図面と併せて、本発明の実施形態の以下の詳細な説明からさらに明らかになろう。
【００１８】
本発明の実施形態の特徴および利点を詳細に示すために、後段の説明は、添付の単一図を参照する。
【図面の簡単な説明】
【００１９】
【図１】端末が、ＷｉＦｉホットスポットを発見し、マネージャにおいてサービス・プロファイルポットを介して接続する実施形態におけるシグナリング・フローを示す図である。を検索し、特定のサービスをサブスクライブして、この特定のサービスに適切なホットス
【発明を実施するための形態】
【００２０】
図において提示される実施形態は、以下のものを備える。
たとえばホットスポットＨＳ１など、複数のホットスポット。各ホットスポットは、複数のローカル・サービスを提供することができる。
複数のホットスポットＨＳ１などにより接続されたすべてのサービス・プロバイダおよびすべてのサービス・コンシューマによって使用される公的にアクセス可能なローカル・サービス・マネージャＬＳＭ。マネージャＬＳＭは、ユーザ管理を担当し、登録済みのホットスポットおよびそれらの各々のサービス・プロファイルのリポジトリを保持する。さらに、マネージャＬＳＭは、ゲートウェイへのアクセスを規制し、サービス・サブスクリプションの支払いを処理する。マネージャＬＳＭは、ユーザ・インターフェイスとしての役割を果たすＷｅｂサイトを実行する。マネージャＬＳＭは、新しいホットスポットおよび新しいサービスを登録するための機能をサービス・プロバイダに提供する。マネージャＬＳＭは、ユーザアカウントを作成して、サービスをサブスクライブするための機能をサービス・コンシューマに提供する。
複数のローカル・サービス・ゲートウェイ。各サービス・プロバイダＳＰは、サービスを展開するために、１つまたは複数のホットスポットを介して接続されうるゲートウェイを使用する。各サービス・プロバイダは、１つまたは複数の関連付けられているホットスポットに適したサービスを提供する。この例において、ローカル・サービス・ゲートウェイＧＷ１は、ホットスポットＨＳ１に関連付けられている。
複数のユーザ端末。たとえば、ローカル・サービス・ユーザ・アプリケーションＵＡを実行しているユーザ端末Ｔ。
【００２１】
このローカル・サービス・プラットフォームの使用は、以下のステップを備える。
ステップ１：サービス・プロバイダＳＰが、サインアップして、ローカル・サービス・マネージャＬＳＭでアカウントを作成する。アカウントに、サービス・プロバイダＳＰは、新しいホットスポットを登録することができ、次いで、たとえばＨＳ１などのこの登録されたホットスポットによって提供される１つまたは複数のサービスを登録することができる。登録された各ホットスポットについて、サービス提供者ＳＰは、ホットスポットが提供する各サービス（すなわち、サービスの名前、イメージ、ロケーションなど）およびそのサブスクリプション・ポリシーを記述するサービス・プロファイルを作成して登録する。このポリシーは、「誰でも利用できる（ｏｐｅｎ  ｔｏ  ａｌｌ）」（無料）であってもよいし、またはサブスクリプション料金を指示してもよい。登録済みの各ホットスポットについて、一意のプロファイル識別子がマネージャＬＳＭによって生成され、ホットスポットのサービス・プロファイルに関連付けられる。
【００２２】
各プロファイルは、プロファイル識別子を有する。たとえば、「１２３」は、ホットスポットＨＳ１によって提供されるサービスを記述するプロファイルに割り当てられる識別子である。サービス・プロバイダＳＰは、ＳＳＩＤ（Ｓｅｒｖｉｃｅ  Ｓｅｔ  Ｉｄｅｎｔｉｆｉｅｒ：サービスセット識別子）を登録済みの各ホットスポットに割り当てる。ＷｉＦｉ規格ＩＥＥＥ８０２．１１によれば、ＳＳＩＤは、ＷｉＦｉネットワークがアドバタイズされる名前である。本発明によれば、ＳＳＩＤはホットスポットがローカル・サービスを提供することを指示する固定のパターン（たとえば「ＬＳ：」）およびホットスポットのプロファイル識別子から成るので、ＷｉＦｉホットスポットは、サービスをアドバタイズして、サービスに接続できるようにする。たとえば、ホットスポットＨＳ１のＳＳＩＤは「ＬＳ：１２３」であって、ここで「：」は任意の区切り文字であり、文字「ＬＳ」はホットスポットがローカル・サービス・ネットワークの一部であることを指示し、数字「１２３」はローカル・サービス・マネージャＬＳＭ上にあるホットスポットのサービス・プロファイルの識別子である。
【００２３】
サービス・プロバイダＳＰが、ホットスポットＨＳ１に関連付けられている、ローカル・サービス・ゲートウェイＧＷ１にインストールされたサービスを配信するので、ローカル・サービス・マネージャＬＳＭは、サービス・プロバイダＳＰに、サービスがこのゲートウェイＧＷ１でどのように開発されて展開される必要があるかについての指示を提供する。加えて、サービスを実行して、サービスをネットワーク上で使用可能にする実行環境が必要とされる。したがって、コンピューティング・システムを、サービスをホスティングすることができるゲートウェイＧＷ１に変換するために、ソフトウェア（すなわち、実行環境およびサービスを開発するためのソフトウェア開発キット）が必要とされる。サービス・プロバイダＳＰは、このソフトウェアを、インターネットを介してマネージャＬＳＭからダウンロードすることができる。その他の実施形態において、ソフトウェアは、別のＷｅｂサイトからダウンロードされてもよい。
【００２４】
ステップ２：次いで、サービス・プロバイダＳＰは、サービス・プロファイルにリストされている特定のサービスを提供することができるように、ローカル・サービス・ゲートウェイＧＷ１を構成する。サービス・プロバイダＳＰは、ホットスポットＨＳ１のＳＳＩＤを「ＬＳ：１２３」としてセットアップする。
【００２５】
ステップ３：サービス・コンシューマＳＣは、ローカル・サービス・マネージャＬＳＭでアカウントを作成し、自分の端末Ｔで実行されるべきローカル・サービス・アプリケーションＵＡをダウンロードする。次いで、サービス・コンシューマＣＳは、登録されたサービスをサブスクライブすることができる。支払いが必要とされる場合、支払いは、ローカル・サービス・マネージャＬＳＭによって処理される。
【００２６】
ステップ４：ユーザは、ローカル・サービス・マネージャＬＳＭで登録されているすべてのサービスを発見するために、アプリケーションＵＡを実行する。
【００２７】
ステップ５：ユーザ・アプリケーションＵＡは、ローカル・サービスを提供することを指示する定義済みのパターン「ＬＳ」を備えるＳＳＩＤを持つ使用可能なホットスポットを発見するために、端末ＴのＷｉＦｉチップを使用する。ユーザ・アプリケーションＵＡは、ローカル・サービスを提供する複数のホットスポットＨＳ１などを発見する。たとえば、ホットスポットＨＳ１は、そのＳＳＩＤが「ＬＳ：１２３」であるので見つけられる。ユーザ・アプリケーションＵＡは、サービスを提供する各ホットスポットについてサービス・プロファイル識別子を抽出する。特に、ユーザ・アプリケーションＵＡは、ホットスポットＨＳ１のＳＳＩＤからプロファイル識別子「１２３」を抽出する。
【００２８】
ステップ６：次いで、ユーザ・アプリケーションＵＡは、（たとえば、ＧＰＲＳネットワークを介して）ローカル・サービス・マネージャＬＳＭと接続して、発見されたすべてのホットスポットで使用可能なサービスに関する情報を収集する。たとえば、プロファイル識別子「１２３」は、ホットスポットＨＳ１に対応するサービス・プロファイルを取り出すために参照として使用される。ローカル・サービスを提供するすべてのホットスポットにそれぞれ対応するすべてのプロファイルのコンテンツは、端末Ｔに送信され、ユーザに表示される（つまり、関連する各サービスの名前、イメージ、ベンダー、説明、サブスクリプション指示などがユーザに提示される）。
【００２９】
ステップ７：たとえば、ユーザは、ホットスポットＨＳ１によって提案されるサービスのうちの１つを使用しようとする。ユーザは、表示されたリスト内のサービスを選択する。ユーザ・アプリケーションＵＳは、要求メッセージをマネージャＬＳＭに送信する。このメッセージは、選択されたホットスポットＨＳ１のプロファイル識別子「１２３」、および選択されたサービスの名前を含む。
【００３０】
ステップ８：要求されたサービスがサブスクリプションおよび料金支払いを意味する場合、マネージャＬＳＭはユーザに通知する。次いで、要求されたサービスをサブスクライブして対応する料金を支払うために、ユーザは、アプリケーションＵＡをアクティブ化して、メッセージをマネージャＬＳＭに送信する。
【００３１】
ステップ９：次いで、アプリケーションＵＡは、端末ＴをホットスポットＨＳ１と接続する。アプリケーションＵＡは、Ｗｅｂブラウザをロードして、ゲートウェイＧＷ１にナビゲートする。ゲートウェイＧＷ１は、ローカルネットワーク内のサービスにアクセスできるようにする小規模なＷｅｂアプリケーションにサービスを提供する。ユーザ・アプリケーションは、選択されたサービスにアクセスするために、ゲートウェイＧＷ１に要求メッセージを送信し、このメッセージはサービスの名前を含む。ゲートウェイＧＷ１は、このユーザがサービスへのアクセスを許可されるかどうか（すなわち、サービスが無料であるか、またはユーザが有効なサブスクリプションを有する必要があるか）を、たとえばローカル・サービス・マネージャＬＳＭに問い合わせを行なうことによって確認する。ユーザが認証されて許可される場合、ゲートウェイＧＷ１は、ユーザサービス要求をサービスのユーザ・インターフェイスにリダイレクトする。
【００３２】
ユーザ・アプリケーションＵＡは、登録済みホットスポットと同じＳＳＩＤを使用する偽のＷｉＦｉホットスポットを検出できなくてはならない。ゲートウェイＧＷ１はまた、ユーザを認証すること、すなわちユーザがサービスへのアクセスを許可されるかどうかを決定することもできなくてはならない。これらのタスクを遂行するための多くのアルゴリズムが知られている。それらの一部は、［Ｃｏｍｐｕｔｅｒ  Ｎｅｔｗｏｒｋｓ、Ａｎｄｒｅｗ  Ｓ．Ｔａｎｅｎｂａｕｍ］および［Ｄｉｓｔｒｉｂｕｔｅｄ  Ｓｙｓｔｅｍｓ：Ｃｏｎｃｅｐｔｓ  ａｎｄ  Ｄｅｓｉｇｎ、Ｇｅｏｒｇｅ  Ｃｏｕｌｏｕｒｉｓ、Ｊｅａｎ  Ｄｏｌｌｉｍｏｒｅ、Ｔｉｍ  Ｋｉｎｄｂｅｒｇ］において説明されている。セキュリティ部分がどのように実現されるかということは、実際には重要ではない。たとえば、ユーザ・アプリケーションＵＡは、セキュリティ・トークンを、ゲートウェイＧＷ１およびローカル・サービス・マネージャＬＳＭと交換する。（ＷＥＰまたはＷＰＡキーなど）ホットスポットに接続するための認証トークンは、ホットスポットのサービス・プロファイルと共に、マネージャＬＳＭに格納されてもよい。
【００３３】
登録済みホットスポットの範囲を拡大するため、または同じサービスを提供する異なる場所をカバーするために、同じＳＳＩＤを持つ複数のホットスポットが使用されてもよい。
【００３４】
（クレジットカードを使用するか、またはＳＭＳを通じてなど）複数の支払いオプションが、（１セッション、１週、１か月など）異なる期間に対して提供されてもよい。
【００３５】
たとえば、本発明によるマネージャおよび端末は、現在の販売促進を強調するサービスが顧客に提供される店舗によって使用されてもよい。店舗の所有者は、ローカル・サービス・プラットフォームを使用して自分のサービスを登録し、ＬＳゲートウェイＧＷ１ソフトウェアおよびホットスポットを構成するためのＳＳＩＤを受信する。オプションで、サービスが展開されうるアウトオブボックス型（そのまま使える）製品が提供されてもよい。ユーザが店舗に入ると、そのユーザ・デバイス上のソフトウェアが（たとえ複数の他のホットスポットが店舗内で手近にあったとしても）自動的にそのホットスポットを発見し、販売促進サービスをユーザに提示する（このサービスに関する情報はＬＳマネージャから取り出される）。サービスは無料で提供されるので、ユーザは、自分のユーザ・デバイスでサービスに接続して、今日の特別販売促進を調べることができる。
【００３６】
本発明によるマネージャおよび端末はまた、公共スペースで協力ゲームをプレイするために大型ディスプレイのベンダーによって使用されてもよい。ベンダーは、ローカル・サービス・プラットフォームでゲームサービスを登録して、その料金を課金する。ゲートウェイおよびホットスポットは、ゲームサービスへのアクセスを規制し、ユーザ・アプリケーションは、ディスプレイのそばを通過するときにこのサービスを発見する。このアプリケーションを使用して、ユーザは、ゲームサービスを直接サブスクライブすることができる。支払いは、ローカル・サービス・マネージャによって処理される。サブスクライブすると、サービスのＷｉＦｉホットスポットとの接続が確立され、ゲートウェイは、認証後に、ユーザ・デバイスをゲームに参加するように入力制御にリダイレクトする。
【図１】
2014534663.tif 000003
【国際調査報告】
2014534663.tif 000004
2014534663.tif 000005